(57)【要約】  【課題】  スリングを用いた荷物の搬送を容易且つ確実に行うことができるスリング用コーナープロテクタを提供する。  【解決手段】  搬送される荷物の角部に沿うように互いに連結された第１の支持部材１０および第２の支持部材２０と、第１の支持部材１０および第２の支持部材２０の表面側にそれぞれ設けられた第１のガイド部材４０および第２のガイド部材５０とを備え、第１のガイド部材４０および第２のガイド部材５０は、スリングを案内するガイド部４１，５１をそれぞれ有しており、ガイド部４１，５１の案内方向が変化するように第１の支持部材１０および第２の支持部材２０に回動自在に支持されたスリング用コーナープロテクタ１。【選択図】  図１
2017149560.tif 000002
【特許請求の範囲】
【請求項１】
搬送される荷物の角部に沿うように互いに連結された第１の支持部材および第２の支持部材と、
前記第１の支持部材および第２の支持部材の表面側にそれぞれ設けられた第１のガイド部材および第２のガイド部材とを備え、
前記第１のガイド部材および第２のガイド部材は、スリングを案内するガイド部をそれぞれ有しており、前記ガイド部の案内方向が変化するように前記第１の支持部材および第２の支持部材に回動自在に支持されたスリング用コーナープロテクタ。
【請求項２】
前記第１の支持部材および第２の支持部材は、屈曲用回動軸を介して互いに回動可能とされており、
前記第１のガイド部材および第２のガイド部材は、それぞれの回動軸の軸方向が、前記屈曲用回動軸の軸方向と直交する請求項１に記載のスリング用コーナープロテクタ。
【請求項３】
前記第１のガイド部材および第２のガイド部材は、前記ガイド部から垂下して前記第１の支持部材および第２の支持部材の側面とそれぞれ係合する係合部を備える請求項１または２に記載のスリング用コーナープロテクタ。
【請求項４】
前記ガイド部におけるスリングとの当接面には、案内方向と平行に複数の細溝が形成されている請求項１から３のいずれかに記載のスリング用コーナープロテクタ。
【請求項５】
前記第１の支持部材および第２の支持部材の裏面側には、複数の突部が形成されている請求項１から４のいずれかに記載のスリング用コーナープロテクタ。
【発明の詳細な説明】
【技術分野】
【０００１】
本発明は、スリング用コーナープロテクタに関する。
【背景技術】
【０００２】
玉掛け作業においては、荷物の鋭い角部によりスリング等の吊り具が損傷しないように、コーナープロテクタで保護することが従来から行われている。例えば、特許文献１には、矩形板状の芯材の外面に帯状のベルト部を備える建材保護吊り具が開示されている。この建材保護吊り具は、建材の角部に沿って芯材を凹溝で折り曲げ、スリングベルトをベルト部に取り付けて使用する。
【先行技術文献】
【特許文献】
【０００３】
【特許文献１】特開２０００−８６１４２号公報
【発明の概要】
【発明が解決しようとする課題】
【０００４】
上記従来の建材保護吊り具は、例えばスリングベルトの吊り角度が大きい場合に、ベルト部によるスリングベルトの案内方向が実際のスリングベルトの延在方向と一致せず、スリングベルトに屈曲やねじれが生じ易いという問題があった。このため、スリングベルトの耐久性が低下すると共に、建材の安定した搬送が困難になるおそれがあった。
【０００５】
そこで、本発明は、スリングを用いた荷物の搬送を安全且つ確実に行うことができるスリング用コーナープロテクタの提供を目的とする。
【課題を解決するための手段】
【０００６】
本発明の前記目的は、搬送される荷物の角部に沿うように互いに連結された第１の支持部材および第２の支持部材と、前記第１の支持部材および第２の支持部材の表面側にそれぞれ設けられた第１のガイド部材および第２のガイド部材とを備え、前記第１のガイド部材および第２のガイド部材は、スリングを案内するガイド部をそれぞれ有しており、前記ガイド部の案内方向が変化するように前記第１の支持部材および第２の支持部材に回動自在に支持されたスリング用コーナープロテクタにより達成される。
【０００７】
このスリング用コーナープロテクタにおいて、前記第１の支持部材および第２の支持部材は、屈曲用回動軸を介して互いに回動可能とされていることが好ましく、前記第１のガイド部材および第２のガイド部材は、それぞれの回動軸の軸方向が、前記屈曲用回動軸の軸方向と直交することが好ましい。
【０００８】
また、前記第１のガイド部材および第２のガイド部材は、前記ガイド部から垂下して前記第１の支持部材および第２の支持部材の側面とそれぞれ係合する係合部を備えることが好ましい。
【０００９】
また、前記ガイド部におけるスリングとの当接面には、案内方向と平行に複数の細溝が形成されていることが好ましい。
【００１０】
また、前記第１の支持部材および第２の支持部材の裏面側には、複数の突部が形成されていることが好ましい。
【発明の効果】
【００１１】
本発明のスリング用コーナープロテクタによれば、スリングを用いた荷物の搬送を安全且つ確実に行うことができる。
【図面の簡単な説明】
【００１２】
【図１】本発明の一実施形態に係るスリング用コーナープロテクタの斜視図である。
【図２】図１に示すスリング用コーナープロテクタの平面図である。
【図３】図１に示すスリング用コーナープロテクタの側面図である。
【図４】図１に示すスリング用コーナープロテクタの正面図である。
【図５】図１に示すスリング用コーナープロテクタの背面図である。
【図６】図１に示すスリング用コーナープロテクタの作動を示す平面図である。
【図７】図１に示すスリング用コーナープロテクタの使用方法を説明するための側面図である。
【図８】本発明の他の実施形態に係るスリング用コーナープロテクタの要部斜視図である。
【発明を実施するための形態】
【００１３】
以下、本発明の実施の形態について、添付図面を参照して説明する。図１は、本発明の一実施形態に係るスリング用コーナープロテクタの斜視図である。また、図２から図５は、それぞれ図１に示すスリング用コーナープロテクタの平面図、側面図、正面図および背面図であり、図３および図４は、図２に示すスリング用コーナープロテクタをそれぞれ矢示Ａ方向および矢示Ｂ方向に見た図である。図１から図５に示すように、スリング用コーナープロテクタ１は、互いに連結された第１の支持部材１０および第２の支持部材２０と、これら第１の支持部材１０および第２の支持部材２０の表面側にそれぞれ設けられた第１のガイド部材４０および第２のガイド部材５０とを備えている。第１の支持部材１０、第２の支持部材２０、第１のガイド部材４０および第２のガイド部材５０は、例えば、ポリウレタン等の合成樹脂や金属材料等から形成される。
【００１４】
第１の支持部材１０および第２の支持部材２０は、基端部から先端部に向けて幅が徐々に狭くなるように湾曲する板状またはブロック状の部材であり、それぞれの基端部に形成された複数の突出部１３，２３同士が組み合わされている。各突出部１３，２３の貫通孔には、金属棒からなる屈曲用回動軸３０が挿通されており、第１の支持部材１０と第２の支持部材２０とが回動可能に連結されている。図５に示すように、第１の支持部材１０および第２の支持部材２０の裏面側には、複数の突部１１，２１がドット状に配置されており、更にマグネット１２，２２が埋設されている。
【００１５】
第１のガイド部材４０および第２のガイド部材５０は、玉掛け作業時にスリングベルトを案内するガイド部４１，５１をそれぞれ備えている。ガイド部４１，５１は、円弧状の先端部が互いに対向するように配置されており、スリングベルトが当接する当接面４２，５２と、当接面４２，５２の幅方向両側に配置された一対の保持爪４３，４４；５３，５４とを備えている。一対の保持爪４３，４４；５３，５４は、互いに対向する鉤状の部材であり、スリングベルトの幅方向両側を保持してスリングベルトを案内する。当接面４２，５２には、スリングベルトの案内方向と平行に複数の細溝４５，５５が形成されている。
【００１６】
ガイド部４１，５１の裏面側は、図２等に破線で示す回動軸４７，５７により、それぞれ第１の支持部材１０および第２の支持部材２０に回動可能に支持されている。回動軸４７，５７の軸方向は、屈曲用回動軸３０の軸方向と直交しており、第１の支持部材１０および第２の支持部材２０が互いに屈曲するように回動すると共に、第１のガイド部材４０および第２のガイド部材５０は、それぞれ第１の支持部材１０および第２の支持部材２０の表面に沿って回動する。
【００１７】
また、第１のガイド部材４０および第２のガイド部材５０は、ガイド部４１，５１の基端部から垂下する係合部４６，５６を備えている。係合部４６，５６は、それぞれ第１のガイド部材４０および第２のガイド部材５０を回動させることで、第１の支持部材１０および第２の支持部材２０の側面と係合し、第１のガイド部材４０および第２のガイド部材５０の回動を係止する。係合部４６，５６の下面には、第１の支持部材１０および第２の支持部材２０に設けられた突部１１，２１と同じ高さ位置に、複数の突部４８，５８が設けられている。
【００１８】
図２に示すように、第１のガイド部材４０および第２のガイド部材５０の案内方向が、屈曲用回動軸３０の軸方向と平面視において直交する状態においては、図５に示すように、第１の支持部材１０および第２の支持部材２０の係合部４６，５６が、第１の支持部材１０および第２の支持部材２０の先端側面に接触して保持される。この状態から第１のガイド部材４０を一方向に回動させると、図６に示すように、第１の支持部材１０の幅方向一方側の側面に係合部４６が当接して係止され、他方向に回動させると、第１のガイド部材４０が破線で示す位置で係止される。このように、第１のガイド部材４０の回動範囲を、所定の回動範囲αに規制することで、作業時の取扱性を良好にすることができる（第２のガイド部材５０についても同様）。この回動範囲αは、実際の搬送時に想定される状況を考慮して適宜設定すればよく、例えば１２０°である。
【００１９】
上記の構成を備えるスリング用コーナープロテクタ１は、図７に示すように、第１の支持部材１０および第２の支持部材２０を、屈曲用回動軸３０まわりに回動させて荷物Ｌの角部に沿って屈曲させ、それぞれの裏面側を荷物Ｌの表面に当接させた後、スリングベルトＳをガイド部４１，５１に挿通することにより、荷物ＬをスリングベルトＳで吊り上げて搬送することができる。
【００２０】
第１の支持部材１０および第２の支持部材２０の裏面側には、弾性を有する複数の突部１１，２１が設けられているので、これら突部１１，２１が荷物Ｌに密着し、適度なグリップ力が生じる。したがって、荷物Ｌの搬送中に、第１の支持部材１０および第２の支持部材２０と荷物Ｌとの間ですべりが生じるのを抑制することができる。また、第１の支持部材１０および第２の支持部材２０は、裏面側にマグネット１２，２２が設けられているので、荷物Ｌが磁性材料からなる場合には、マグネット１２，２２の吸着力によっても荷物Ｌに密着する。
【００２１】
第１のガイド部材４０および第２のガイド部材５０は、第１の支持部材１０および第２の支持部材２０の表面に沿って回動自在に支持されているので、スリングベルトＳの吊り角度等に応じて第１のガイド部材４０および第２のガイド部材５０が自然に回動する。これにより、第１のガイド部材４０および第２のガイド部材５０の案内方向と、スリングベルトＳの延在方向とを、容易に一致させることができるので、スリングベルトＳの屈曲やねじれを抑制して安定した吊り上げが可能になり、荷物Ｌを確実に搬送することができる。
【００２２】
ガイド部４１，５１におけるスリングベルトＳとの当接面４２，５２には、案内方向に沿って複数の細溝４５，５５が形成されているので、スリングベルトＳと当接面４２，５２との間に生じる摩擦力を低減することができ、作業性を良好にすることができる。
【００２３】
以上、本発明の一実施形態について詳述したが、本発明の具体的な態様は上記実施形態に限定されない。例えば、本実施形態においては、ガイド部４１，５１が案内するスリングをスリングベルトＳとしているが、必ずしもベルト状のものに限定されるものではなく、例えば、ワイヤーロープやチェーン等であってもよい。
【００２４】
また、第１の支持部材１０および第２の支持部材２０に形成された突部１１，２１は、本実施形態のようなドット状以外に、屈曲用回動軸３０と平行に延びるストライプ状であってもよく、あるいは、格子状等であってもよい。
【００２５】
また、図８に示すように、第１の支持部材１０および第１のガイド部材４０は、成形容易や軽量化等の目的で、保持爪４３，４４や突出部１３等に多数の切欠部４３ａ，４４ａ，１３ａを有する構成であってもよい。図８に示す保持爪４３，４４は、スリングベルト（図示せず）の幅方向両側を案内するガイド部４３ｂ，４４ｂの間隔が、先端側に向けてテーパ状に拡がるように形成されており、これによってスリングベルトの回動範囲をより拡げることができる。
【００２６】
更に、図８に示す第１の支持部材１０は、同じ形状のものを第２の支持部材として組み合わせることができるように各突出部１３が配置されており、これによって製造コストの低減が図られている。なお、第２のガイド部材についても、図８に示す第１のガイド部材４０と同様の形状にすることができる。
【符号の説明】
【００２７】
１  スリング用コーナープロテクタ
１０  第１の支持部材
１１  突部
２０  第２の支持部材
２１  突部
３０  屈曲用回動軸
４０  第１のガイド部材
４１  ガイド部
４５  細溝
４６  係合部
４７  回動軸
５０  第２のガイド部材
５１  ガイド部
５５  細溝
５６  係合部
５７  回動軸
【図１】
2017149560.tif 000003
【図２】
2017149560.tif 000004
【図３】
2017149560.tif 000005
【図４】
2017149560.tif 000006
【図５】
2017149560.tif 000007
【図６】
2017149560.tif 000008
【図７】
2017149560.tif 000009
【図８】
2017149560.tif 000010